(57)【要約】【課題】確実にサイホン作用を生じさせ、汚物を排出することのできる水洗式便器を提供する。【解決手段】水洗式便器は、便器本体１に形成された便鉢２の下流側に連なる上昇流路３Ａ及び上昇流路３Ａの下流側に連なる下降流路３Ｂからなる便器排水路３を備えている。また、水洗式便器は、便器排水路３から空気を吸引する吸気装置１００を備えている。下降流路３Ｂは、水平方向から垂直方向に流路の向きを変える湾曲流路１１と、湾曲流路１１の下流側に連なり、垂直方向に延びる垂直流路１２とから構成されている。下降流路３Ｂを形成する便器排水管１０は、湾曲流路１１の上面であり、垂直流路１２を上方へ延ばした上方領域Ｔ内に設けられた連通口１３を有している。連通口１３と吸気装置１００の吸気口１０５とが連通されている。【選択図】図１
2009191444.tif 000002
【特許請求の範囲】
【請求項１】
便器本体に形成された便鉢の下流側に連なる上昇流路及び該上昇流路の下流側に連なる下降流路から構成される便器排水路と、該便器排水路から空気を吸引する吸気装置とを備えた水洗式便器において、
前記下降流路は、水平方向から垂直方向に流路の向きを変える湾曲流路と、該湾曲流路の下流側に連なり、垂直方向に延びる垂直流路とから構成され、
該下降流路を形成する便器排水管は、該湾曲流路の上面であり、該垂直流路を上方へ延ばした上方領域内に設けられた連通口を有し、
該連通口と前記吸気装置の吸気口とが連通されていることを特徴とする水洗式便器。
【請求項２】
前記便器排水管は、前記連通口の周縁から垂直上方に延びて設けられた連通管を有し、該連通管に前記吸気口が連通されている請求項１記載の水洗式便器。
【請求項３】
前記連通管の直径は、３０ｍｍ以上である請求項１又は２記載の水洗式便器。
【請求項４】
前記連通管の上端の開口には、前記吸気装置に設けられ、前記吸気口を下端に有する吸気管がパッキンを介して挿入されている請求項２又は３記載の水洗式便器。
【請求項５】
前記便器排水管は前記便器本体とは別体に形成され、該便器本体は前記上昇流路の最上昇部が開口して形成される被接続口を有し、該被接続口に該便器排水管の上流端の接続口が接続されている請求項１乃至４のいずれか１項記載の水洗式便器。
【発明の詳細な説明】
【技術分野】
【０００１】
本発明は水洗式便器に関する。
【背景技術】
【０００２】
特許文献１に従来の水洗式便器が開示されている。この水洗式便器は、便器本体の便鉢の下流側に連なる便器排水路と、この便器排水路から空気を吸引する吸気装置とを備えている。便器排水路は、上昇流路と上昇流路の下流側に連なる下降流路とから構成されている。便器排水路の最上昇部の上面には、連通口が設けられ、吸気装置の吸気口に連通されている。
【０００３】
この水洗式便器では、便器洗浄の際、吸気装置により便器排水路から空気が吸引され、便器排水路を早期に便器洗浄水で満水にすることができる。このため、サイホン作用が早期、かつ確実に生じ、便鉢内の汚物を確実に排出することができる。
【０００４】
【特許文献１】特開２００７−２１８０３８号公報
【発明の開示】
【発明が解決しようとする課題】
【０００５】
しかし、上記従来の水洗式便器では、便器排水路の最上昇部の上面に連通口が設けられているため、上昇流路を上昇してきた上向きの勢いを有する便器洗浄水が連通口の近傍を流れる。このため、吸気装置が便器排水路内の空気を吸引する際、連通口から便器洗浄水や汚物を吸引してしまうおそれがある。連通口が吸引された便器洗浄水や汚物で閉鎖されると、便器排水路内からの空気の吸引が不十分となり、サイホン作用が良好に生じないおそれがある。
【０００６】
本発明は、上記従来の実情に鑑みてなされたものであって、確実にサイホン作用を生じさせ、汚物を排出することのできる水洗式便器を提供することを解決すべき課題としている。
【課題を解決するための手段】
【０００７】
本発明の水洗式便器は、便器本体に形成された便鉢の下流側に連なる上昇流路及び該上昇流路の下流側に連なる下降流路から構成される便器排水路と、該便器排水路から空気を吸引する吸気装置とを備えた水洗式便器において、
前記下降流路は、水平方向から垂直方向に流路の向きを変える湾曲流路と、該湾曲流路の下流側に連なり、垂直方向に延びる垂直流路とから構成され、
該下降流路を形成する便器排水管は、該湾曲流路の上面であり、該垂直流路を上方へ延ばした上方領域内に設けられた連通口を有し、
該連通口と前記吸気装置の吸気口とが連通されていることを特徴とする。
【０００８】
この水洗式便器では、連通口の近傍を下降流路に沿って下向きの勢いを有する便器洗浄水が流れる。特に、連通口の下方には、垂直流路が延びているため、連通口の下方では、便器洗浄水は下方向に流れる勢いを増している。このため、吸気装置が便器排水路内の空気を吸引する際、連通口から便器洗浄水や汚物が吸引され難い。このため、連通口が便器洗浄水や汚物により閉鎖され難く、便器排水路内の空気の吸引を確実に行うことができる。
【０００９】
したがって、本発明の水洗式便器は、確実にサイホン作用を生じさせ、汚物を排出することができる。
【００１０】
便器排水管は、連通口の周縁から垂直上方に延びて設けられた連通管を有し、連通管に吸気口が連通され得る。この場合、吸気装置が便器排水路内の空気を吸引する際に、仮に、連通口から洗浄水や汚物が連通管内に侵入しても、さらに連通管内を上昇し、吸気装置内に侵入し難い。また、連通管内に侵入した便器洗浄水や汚物は、吸気装置の空気の吸引が停止すると、連通口から落下し易い。このため、連通口や連通管内が洗浄水や汚物により閉鎖され難く、吸気装置は便器排水路内の空気を良好に吸引することができる。
【００１１】
連通管の直径は、３０ｍｍ以上であり得る。この場合、連通口における空気の吸引力が強すぎず、連通口から便器洗浄水や汚物が吸引され難い。
【００１２】
連通管の上端の開口には、吸気装置に設けられ、吸気口を下端に有する吸気管がパッキンを介して挿入され得る。この場合、気密状態で吸気装置の吸気管を便器排水管の連通管に容易に接続することができ、確実に便器排水路から空気を吸引することができる。
【００１３】
便器排水管は便器本体とは別体に形成され、便器本体は上昇流路の最上昇部が開口して形成される被接続口を有し、被接続口に便器排水管の上流端の接続口が接続され得る。この場合、便器排水管を精度よく形成することができ、便器排水路から確実に空気を吸引することができる。また、便器本体の被接続口の下端は、便器本体に形成される水封部の封水面と略同一の高さとなるため、便器本体の被接続口と便器排水管の接続口との接続箇所は、常時、便器洗浄水に浸水していない。このため、過度な漏水構造を有さなくても、接続箇所から便器洗浄水が漏水することを防止することができる。
【発明を実施するための最良の形態】
【００１４】
以下、本発明を具体化した実施例１を図面を参照しつつ説明する。
【実施例１】
【００１５】
図１に示すように、実施例１の水洗式便器は、便器本体１に形成された便鉢２の下流側に連なる上昇流路３Ａと、上昇流路３Ａの下流側に連なる下降流路３Ｂとから構成される便器排水路３を有している。また、この水洗式便器は、便器排水路３の下降流路３Ｂから空気を吸引する吸気装置１００を備えている。吸気装置１００は、吸引タンク１０１を有している。吸引タンク１０１の内部は、上下方向に移動可能な錘１０７を有する隔膜１０６により、上部室１０８と下部室１０９とに区画されている。また、吸気装置１００は、上部室１０８に連通し、上部室１０８内の空気を吸気し、又は上部室１０８内へ空気を排気することにより、隔膜１０６を上下動させる駆動装置１０２を有している。
【００１６】
便器本体１は、床面Ｆに載置される周壁４と、便鉢２の上部内周に形成されたリム５とを有している。リム５には、ストレーナ、定流量弁及び開閉弁を有する洗浄水供給装置２００が連通されている。また、便器本体１は、便鉢２の上端及び側壁４の上端に連結されて設けられた天板６を有している。天板６は便鉢の上方を開放する開口部６Ａを有している。天板６の後端縁には、下方に垂下する補強壁７が設けられている。
【００１７】
周壁４は、便鉢２の前方部を覆う前壁部４Ａと、前壁部４Ａの左右端から補強壁７より後方まで延びる一対の左右壁部と、各左右壁部の後端を連結する後壁部４Ｂとから構成されている。便器本体１には、補強壁７より後方の左右壁部と後部壁４Ｂとに囲まれ、上下方向に貫通した収納空間Ｓが形成されている。
【００１８】
後部壁４Ｂには、中央部に下端から縦長に延びる凹部４Ｃが形成されている。凹部４Ｃの上部には、後部壁４Ｂの外側から内側に斜め上方を向く開口４Ｈが設けられている。開口４Ｈには、一端が水道管に接続され、他端が洗浄水供給装置２００に接続される図示しない給水管が挿通される。
【００１９】
便器本体１は、補強壁７に設けられ、上昇流路３Ａの最上昇部が開口して形成される被接続口８を有している。被接続口８は、補強壁７より一段凹んで形成されている。
【００２０】
補強壁７より凹んで形成された被接続口８に、便器本体１とは別体に形成された便器排水管１０の上流端の接続口１６が嵌め込まれている。便器排水管１０の上流端部の外周面にはフランジ１７が形成され、フランジ１７と被接続口８の周縁部の補強壁７との間に、パッキンの役割を有するＯリング１７Ｐを介して気密状態で被接続口８と接続口１６とが接続されている。
【００２１】
図２に示すように、便器排水管１０は、水平方向から垂直方向に流路の向きを変える湾曲流路１１と、湾曲流路１１の下流側に連なり、垂直方向に延びる垂直流路１２とから構成される下降流路３Ｂを形成している。また、便器排水管１０は、湾曲流路１１の上面であり、垂直流路１２を上方へ延ばした上方領域Ｔ内に設けられた連通口１３を有している。また、便器排水管１０は、連通口１３の周縁から垂直上方に延びて設けられた連通管１４を有している。連通管の直径は５０ｍｍである。
【００２２】
連通管１４の上端の開口１５には、吸引タンク１０１の下面に設けられ、吸気口１０５を先端に有する吸気管１０４が挿入されている。吸気管１０４は、下部外周面にパッキンの役割を有するＯリング１０４Ｐが外嵌されており、連通管１４に挿入するだけで、連通管１４に気密状態に容易に接続することができる。
【００２３】
このように構成された便器排水管１０は、仮に、連通口１３から洗浄水や汚物が連通管１４内に侵入しても、さらに連通管１４内を上昇し、吸引タンク１０１内に侵入し難い。また、連通管１４内に侵入した便器洗浄水や汚物は、吸引タンク１０１の空気の吸引が停止すると、連通口１３から落下し易い。このため、連通口１３や連通管１４内が洗浄水や汚物により閉鎖され難く、吸引タンク１０１は便器排水路３内の空気を良好に吸引することができる。また、連通管の直径が５０ｍｍであるため、連通口１３における空気の吸引力が強すぎず、連通口１３から便器洗浄水や汚物が吸引され難い。また、便器排水管１０は、便器本体１とは別体に形成されているため、精度よく形成することができ、便器排水路３から確実に空気を吸引することができる。さらに、便器本体１の被接続口８の下端は、便器本体１に形成される水封部Ｈの封水面と略同一の高さとなるため、便器本体１の被接続口８と便器排水管１０の接続口１６との接続個所は、常時、便器洗浄水に浸水していない。このため、過度な漏水構造を有さなくても、接続個所から便器洗浄水が漏水することを防止することができる。
【００２４】
図１に示すように、便器排水管１０の下流端の排水口１９は、床面Ｆに開口する排水管３０の接続口３１に排水接続具２０を介して連通されている。排水接続具２０は、排水口１９とパッキン２２Ｐを介して連結される流入口２２と、接続口３１に連結される流出口２３とが設けられた筐体２１を備えている。筐体２１内に内部配管２４が配置されている。この内部配管２４は、流入口２２に連通する上流口２４Ｕを有し、下降流路を形成する上流配管２４Ａと、上流配管２４Ａに連結され、筐体２１内に開口する下流口２４Ｄを有し、上昇流路を形成する下流配管２４Ｂとから構成されている。この内部配管２４の上流配管２４Ａと下流配管２４Ｂとにより形成される滞留部Ｒは、洗浄水により完全に封水される。
【００２５】
このように構成された実施例１の水洗式便器は、便器本体１の便鉢２と上昇流路３Ａとにより形成された水封部Ｈの下流側の便器排水路３と、排水接続具２０の内部配管２４に形成された滞留部Ｒの上流側の内部配管２とに閉鎖空間が形成される。
【００２６】
この水洗式便器の便器洗浄は、まず、便器洗浄装置２００によってリム３に洗浄水が供給される。すると、便鉢２内の洗浄水の水位が上昇する。所定量の洗浄水が供給され、便鉢２内の洗浄水の水位が所定位置になると、吸気装置１００の駆動装置１０２が吸引タンク１０１の隔膜１０６を上方に移動させる。吸引タンク１０１により、便器排水路３の下降流路３Ｂから空気が吸引されると、閉鎖空間には負圧作用により洗浄水が勢いよく流入し、サイホン作用が早期、かつ確実に発生する。
【００２７】
この際、便器排水管１０の連通口１３の近傍を下降流路３Ｂに沿って下向きの勢いを有する便器洗浄水が流れる。特に、連通口１３の下方には、垂直流路１２が延びているため、連通口１３の下方では、便器洗浄水が下方向に流れる勢いを増している。このため、吸気装置１００が連通口１３から閉鎖空間の空気を吸引する際、連通口１３から便器洗浄水や汚物が吸引され難い。このため、連通口１３や連通管１４が便器洗浄水や汚物により閉鎖され難く、閉鎖空間内の空気の吸引を確実に行うことができる。
【００２８】
したがって、実施例１の水洗式便器は、確実にサイホン作用を生じさせ、汚物を排出することができる。
【００２９】
以上において、本発明を実施例１に即して説明したが、本発明は上記実施例に制限されるものではなく、その趣旨に逸脱しない範囲で適宜変更して適用できることはいうまでもない。
【００３０】
例えば、便器排水管１０の排水口１９と、排水管３０の接続口３１とを連通する排水接続具において、溜水部を有しなくてもよい。また、排水接続具において、溜水部を有しても、完全に封水せず、溜水部に滞留する洗浄水の上方に空気が流通する隙間が形成され、便器洗浄の際、溜水部に洗浄水が供給されることにより、この隙間が封鎖され、溜水部の上流側に閉鎖空間が形成されるようにしてもよい。また、連通管の直径は、３０ｍｍ以上であればよい。
【図面の簡単な説明】
【００３１】
【図１】実施例１の水洗式便器の断面図である。
【図２】実施例１の便器排水管の断面図である。
【符号の説明】
【００３２】
１…便器本体
２…便鉢
３…便器排水路
３Ａ…上昇流路
３Ｂ…下降流路
１０…便器排水管
１１…湾曲流路
１２…垂直流路
１３…連通口
１００…吸気装置（１０１…吸引タンク、１０２…駆動装置）
１０５…吸気口
Ｔ…上方領域
【図１】
2009191444.tif 000003
【図２】
2009191444.tif 000004